(57)【特許請求の範囲】
【請求項１】
舞台の客席側となる前側の上方に水平状態に垂下される天井反射板と、
前記舞台の奥側寄り位置および前記舞台の前側寄り位置に選択的に縦状態に立設される正面反射板とを備え、
前記天井反射板は、
前記舞台の前側に位置決められる本体部と、
前記本体部を吊持する吊り部材と、
前記本体部に連結され、前記舞台の奥側寄りに位置決められる起伏部と、
前記吊り部材に設けられ、前記起伏部を前記本体部に対して起伏させる起伏手段とを有することを特徴とする音響反射板装置。
【請求項２】
前記起伏手段により前記起伏部を前記本体部に対して起立させる場合に、前記正面反射板を前記舞台の前側寄り位置に移動させて、前記正面反射板と前記本体部とを隣設させ、
前記起伏手段により前記起伏部を前記本体部に対して起立させた状態よりも寝かせる場合に、前記正面反射板を前記舞台の奥側寄り位置に移動させて、前記正面反射板と前記起伏部とを隣設させる請求項１に記載の音響反射装置。
【請求項３】
前記正面反射板が一枚板状に形成されてなる請求項１又は２に記載の音響反射板装置。
【請求項４】
収納時に、前記正面反射板が前記舞台の奥の上方に縦状態に垂下されると共に、前記天井反射板が前記正面反射板に沿うようにして縦状態に垂下されてなる請求項１から３のいずれか一項に記載の音響反射板装置。
【発明の詳細な説明】
【技術分野】
【０００１】
この発明は、音響反射板装置に関し、特に、多機能ホールなどの舞台に設けられる舞台装置たる可動型の、つまり、吊り下げ式に設定の音響反射板装置の改良に関する。
【背景技術】
【０００２】
近年の多機能ホール（多目的ホールあるいは多用途ホールと称されることもある）にあっては、多機能を備えることから、建物自体が大型化される傾向にあると共に、これに伴って、舞台に設けられる舞台装置たる可動型の音響反射板装置についても、これが大型化される傾向にある。
【０００３】
その一方で、たとえば、特許文献１に開示されているように、この種の可動型の音響反射板装置にあって、舞台に大規模な音響空間を創る場合とそれより小さい規模の音響空間を創る場合とを選択できるとする提案がある。
【０００４】
すなわち、この特許文献１に開示の音響反射板装置は、吊り下げ式に設定され、使用時に、舞台の客席側となる前側の上方に水平状態に垂下される一枚板状の天井反射板と、この天井反射板の舞台の奥に向く後端に舞台の奥側から垂下されて縦状態にして近隣される奥側構成体とを有してなる。
【０００５】
ちなみに、使用時の天井反射板と奥側構成体の脇側には客席から見て舞台の両側となる舞台の袖側からの側面反射板が縦状態に近隣されて、これら側面反射板，天井反射板および奥側構成体で所望の音響空間が創られる。
【０００６】
そして、この特許文献１に開示の音響反射板装置にあって、奥側構成体は、客席に対向する正面反射板部を有すると共に、この正面反射板部の上方に保持されて舞台の床に向かって起伏可能とされる天井反射板部を有する一方で、正面反射板部がリンク部材によって舞台の客席側寄りとなる前進位置に、あるいは、復帰位置たる後退位置に選択的に立設可能とされる。
【０００７】
それゆえ、この音響反射板装置にあっては、一枚板状の天井反射板が下降されて水平状態に維持されると共に、奥側構成体が下降されて舞台のほぼ中央部分に縦状態に立設される一方で、奥側構成体における正面反射板部がリンク部材によって客席側に向かって前進する状態におかれて客席に対向する正面反射板になり、この状態で天井反射板と共に言わば最も小さい音響空間を創る。
【０００８】
そして、この音響反射板装置にあっては、天井反射板を下降させたままの状態に維持する一方で、奥側構成体にあってリンク部材を起すようにして正面反射板部を旧状に復帰させて後退位置で正面反射板にし、この状態で天井反射板の後端に隣設されて天井反射板と共に言わば中程度の大きさの音響空間を創る。
【０００９】
そしてまた、この音響反射板装置にあっては、天井反射板を下降させたままの状態に維持すると共に奥側構成体を舞台の奥側に後退させるようにして立設しながら正面反射板部を正面反射板にし、この状態で奥側構成体における天井反射板部を舞台の床に向けて倒すことで、この天井反射板部を先の天井反射板に連続させ、この態勢のときに、最も大きくなる音響空間を創る。
【先行技術文献】
【特許文献】
【００１０】
【特許文献１】特開２００６−３１４４９３号公報（特許請求の範囲  請求項１，段落０００９，同００１３から同００１６，図１）
【発明の概要】
【発明が解決しようとする課題】
【００１１】
しかしながら、上記した特許文献１に開示の音響反射板装置にあっては、使用時に大中小となる音響空間を創れる点で、基本的に問題がある訳ではないが、利用の実際にあって、些かの不具合があると指摘される可能性がある。
【００１２】
すなわち、上記した特許文献１に開示の提案にあっては、使用時に水平状態に垂下される天井反射板が言わば一枚板状に形成されるのに対して、天井から垂下されて舞台に立設される奥側構成体が言わば複雑に形成されるから、規模の異なる音響空間を創るための編成作業が煩雑になる不具合がある。
【００１３】
つまり、上記した特許文献１に開示の提案にあって、奥側構成体は、客席に対向する正面反射板とされる正面反射板部を有すると共に、この正面反射板部の上方に保持されて舞台の床に向かって起伏可能とされて天井反射板とされる天井反射板部を有し、さらに、正面反射板部が当初の立設位置たる言わば後退位置に立設される場合と、リンク部材によって舞台の客席側寄りとなる言わば前進位置に立設される場合との選択を可能にする構成とされて、言わば複雑な構成となる。
【００１４】
それゆえ、音響反射板装置において、舞台に規模の異なる音響空間を創るために編成変えをするのに際しては、奥側構成体において、正面反射板部がリンク部材によって前進して正面反射板になる態勢と、正面反射板部がリンク部材によって後退されて正面反射板になる態勢と、正面反射板部が後退状態に維持されて正面反射板になると共に、天井反射板部が倒されて天井反射板に連続する態勢となる三つの態勢のいずれかが選択される。
【００１５】
そのため、この編成変えを、たとえば、コンピューターを利用するなどの機械力によるとしても、その作業を多岐にして煩雑にする不具合がある。
【００１６】
この発明は、上記した事情を鑑みて創案されたものであって、その目的とするところは、多岐に亘る作業や制御を要せずして所望の音響空間を創ることを可能にして、その汎用性の向上を期待するのに最適となる音響反射板装置を提供することである。
【課題を解決するための手段】
【００１７】
上記した目的を達成するために、この発明による音響反射板装置の構成を、基本的には、舞台の客席側となる前側の上方に水平状態に垂下される天井反射板と、前記舞台の奥側寄り位置および前記舞台の前側寄り位置に選択的に縦状態に立設される正面反射板とを備え、前記天井反射板は、前記舞台の前側に位置決められる本体部と、前記本体部を吊持する吊り部材と、前記本体部に連結され、前記舞台の奥側寄りに位置決められる起伏部と、前記吊り部材に設けられ、前記起伏部を前記本体部に対して起伏させる起伏手段とを有してなるとする。
【００１８】
そして、上記の音響反射板装置において、より具体的には、天井反射板が本体部の背面にこの天井反射板の吊持を可能にする吊り部材を有すると共に、この吊り部材が起伏部の本体部に対する起伏を可能にする起伏手段を有してなるとする。
【発明の効果】
【００１９】
それゆえ、この発明による音響反射板装置にあっては、使用時に水平状態に垂下される天井反射板が舞台の前側に位置決められる本体部と、舞台の奥側寄りに位置決められる起伏部とを有してなるから、音響空間の規模を大小させる編成変えに際して、天井反射板が本体部に起伏部を連続させた状態のままの言わば全体使用される場合と、天井反射板が本体部に対して起伏部を起した状態、すなわち、折り畳んだ状態の言わば部分使用される場合とを選択し得ることになり、たとえば、オーケストラ向きとなる大規模な音響空間の創成を可能にし、また、ピアノリサイタルや弦楽四重奏向きとなるより小さい規模の音響空間の創成を可能にする。
【００２０】
このとき、音響反射板装置における編成変えに際して、天井反射板において本体部に対する起伏部の起伏を選択すること、および、正面反射板において立設位置を前進位置あるいは後退位置のいずれかに選択することの作業のみで足り、たとえば、いわゆる機械力利用で天井反射板を変態させ、また、正面反射板の立設位置を選択する作業を言わば簡単に実践し得る。
【００２１】
そして、機械力を利用して天井反射板および正面反射板を昇降させて舞台の所定位置に位置決める場合には、特に、正面反射板を舞台の所定位置に人手によって位置決める作業を不要にし、言わば重量物となる正面反射板を人手で移動させる際に、作業員の負担を軽減するのはもちろんのこと、作業員数の削減を可能にして、経費の削減を可能にする。
【図面の簡単な説明】
【００２２】
【図１】この発明による音響反射板装置の使用状態の一例を示す概略縦断面図である。
【図２】この発明による音響反射板装置の使用状態の他例を図１と同様に示す図である。
【図３】この発明による音響反射板装置の不使用時における正面反射板の収納状態を図１と同様に示す図である。
【図４】この発明による音響反射板装置の不使用時の収納状態を図１と同様に示す図である。
【発明を実施するための形態】
【００２３】
以下に、図示した実施形態に基づいて、この発明を説明するが、この発明による音響反射板装置は、詳しくは図示しないが、多機能ホールなどの舞台に設けられる舞台装置を構成するもので、図示するところでは、吊り下げ式の可動型に設定される。
【００２４】
ここで、以下の説明において、舞台なる語は、舞台床Ｓを指す場合と、この舞台床Ｓの上方の空間（符示せず）を指す場合と、舞台床Ｓと空間とを合体して指す場合とがあるが、必要な場合を除き、明確に区別することなく使用することがあることを断っておく。
【００２５】
また、図中の右側に符号Ｇで示すのは、客席であって、この客席Ｇから見る舞台の左右方向が間口方向であり、図示しないが、この舞台の間口方向の端部に袖と称されて、基本的には、客席からの視界の外となる空間が設けられる。
【００２６】
そして、この舞台の袖にあっては、同じく図示しないが、この袖の上方にこの発明における音響反射板装置を構成する側面反射板が不使用時に垂下される。
【００２７】
ちなみに、側面反射板については、この実施形態では、特に、正面反射板２と別体に形成されて、不使用時には、舞台の袖の上方に縦状態に垂下される設定とするが、これに代えて、正面反射板２に連結されて、不使用時には、縦状態のまま収納される正面反射板２と一緒に舞台の奥の上方に垂下されるとしても良い。
【００２８】
なお、この発明による音響反射板装置にあって、側面反射板は、凡そこの種の音響反射板装置において、従来から選択される構成に形成されてなり、また、従来から採用される手段で昇降され、かつ、舞台で移動可能とされるものであれば足りるので、要する場合を除き、側面反射板についての説明を省略する。
【００２９】
ところで、この種の舞台にあっては、舞台の最上端を構成する天井（符示せず）の下方に支持棚たる簀の子Ｔを有し、この簀の子Ｔを介するようにして、天井側に設けたバトン装置（図示せず）におけるワイヤなどの牽引部材が垂下される。
【００３０】
ちなみに、この発明による音響反射板装置を構成する牽引部材たるワイヤＷ１〜Ｗ５は、一端が上記の天井側に連結されると共に、中間部が上記の簀の子Ｔに保持された滑車（符示せず）に掛け回されて延在方向が転向されると共に天井反射板１側あるいは正面反射板２側に掛け回され、他端が上記の天井側に配設されるウインチＭ１〜Ｍ５に巻装される。
【００３１】
そして、この音響反射板装置にあって、少なくとも、上記のワイヤおよびウインチが音響反射板を昇降させる吊り下げ手段（符示せず）を構成するもので、図示する実施形態では、舞台の間口方向の両側部、つまり、両袖部分に設けられる。
【００３２】
そこで、以下の説明において、要する場合を除き、上記のワイヤおよびウインチについて詳述せずして、単に吊り下げ手段と称して説明を簡略化することがあることを断っておく。
【００３３】
ところで、天井側に配設される吊り下げ手段を構成するウインチＭ１〜Ｍ５は、舞台に居る操作者による遠隔操作で、あるいは、操作室に居る操作者によるコンピューターを通じての操作で適宜に駆動されてワイヤＷ１〜Ｗ５を送り出しあるいは巻き取って、天井反射板１を昇降させ、また、天井反射板１における折り畳みを可能にし、さらに、正面反射板２を昇降させると共に水平方向に移動、すなわち、舞台の奥側と舞台の客席Ｇ側との間で前進させあるいは後退させる。
【００３４】
このように、吊り下げ手段にあって、機械力を利用することで、たとえば、天井反射板１にあっては、その昇降および折り畳みはもちろんのこと、垂下される状態（図４参照）とほぼ水平に配設される状態（図１参照）との間における態勢の変更が言わば居ながらにして実現可能とされる。
【００３５】
そして、正面反射板２にあっても、その昇降はもちろんのこと、縦状態に垂下される状態（図４参照）と縦状態のまま垂直に立設される状態（図１および図２参照）との間における態勢の変更が言わば居ながらにして実現可能とされる。
【００３６】
なお、側面反射板にあっても、上記の天井反射板１や正面反射板２と同様にして、垂下される状態と垂直に立設される状態との間における態勢の変更が実現可能とされる。
【００３７】
そしてまた、いわゆる機械力を利用して吊り下げ手段を作動させる場合、すなわち、機械力を利用して天井反射板１および正面反射板２を昇降させて舞台の所定位置に位置決める場合には、特に、正面反射板２を舞台の所定位置に人手によって位置決める作業を不要にし、作業者の負担を軽減する上で有利となる。
【００３８】
ちなみに、この発明による音響反射板装置にあっては、側面反射板の昇降はともかく、側面反射板の舞台での前進および後退となる水平方向の移動を人力によるとしても良い。
【００３９】
また、図示しないが、客席Ｇの上方にある音響反射板仕様の天井Ｇ１と舞台の上方との間に出現するいわゆる空間を埋めるように舞台の前側の上方にあるの垂れ壁Ｗに沿って昇降プロセニアムが昇降可能に配設されるとし、この昇降プロセニアムも上記の簀の子Ｔなどに配設のウインチなどに吊持されても良い。
【００４０】
以上のような前提の下に、この発明による音響反射板装置は、図１および図２に示すように、使用時に舞台の客席Ｇ側となる図中での右側たる前側の上方に水平状態に垂下される言わば一枚板状の天井反射板１と、使用時に縦状態のまま舞台の図中での左側となる奥側寄り位置に立設され（図１参照）、あるいは、使用時に舞台の前側寄り位置に立設される（図２参照）一枚板状の正面反射板２とを有してなる。
【００４１】
そして、この発明による音響反射板装置は、図示しないが、上述したように、使用時に舞台の袖側にあって天井反射板１および正面反射板２に隣設するように立設される一対の側面反射板をも有してなる。
【００４２】
このとき、側面反射板を含む天井反射板１および正面反射板２たる音響反射板は、所望の音響効果を発揮し得るように周知の構造に形成され、たとえば、多くの場合に、プラスターを基本材料にするなどして、硬い音響反射面（符示せず）を有し、この音響反射面を客席Ｇ側に向けるように配慮される。
【００４３】
尤も、この種の音響反射板にあっては、客席Ｇ側に向く音響反射面がプラスターなどの硬質材料で形成されるが、いわゆる背面側は、可能な限りの軽量化を果たすために、たとえば、フレーム構造に形成されたりする。
【００４４】
ところで、この発明による音響反射板装置にあって、天井反射板１は、図１に示すように、水平状態に垂下される使用時に舞台の前側寄りに位置決められる本体部１ａと、舞台の奥側寄りに位置決められる起伏部１ｂとを有していわゆる折り畳み可能に形成されてなる。
【００４５】
このとき、この天井反射板１にあって、起伏部１ｂは、ヒンジ構造（符示せず）で本体部１ａに連結されて、この天井反射板１の図中で上方側となる背面側で起伏可能とされる（図２参照）。
【００４６】
ちなみに、図１に示すように、使用時に舞台の前側の上方に下降された天井反射板１は、水平状態におかれるが、このとき、実際には、図中で右端となる客席Ｇ側に臨む先端が図中で左端となる後端に比較して高く位置決められ、図中で下面となる音響反射面を客席Ｇに向けて言わば仰向け傾向にする。
【００４７】
一方、この音響反射板装置にあって、天井反射板１は、図１中で上方面となる背面に、特に、上記の本体部１ａの背面に吊り部材１１の下端部を連結させ、この吊り部材１１が牽引部材たるワイヤＷ３およびワイヤＷ４で吊持されることで、舞台上方の天井側に吊持される。
【００４８】
そして、図示するところにあって、この天井反射板１は、上記の本体部１ａにおける図中で右側となる先端側部（符示せず）が舞台の間口方向に延びる桁部材１２の配設下にワイヤＷ５によって舞台上方の天井側に吊持される。
【００４９】
ちなみに、桁部材１２は、天井反射板１における本体部１ａが舞台における客席Ｇ側から舞台の奥側に向う方向となる奥行き方向に比較して間口方向を長くして、自己支持性などの所定の機械的強度を有するとしても、言わば脆弱化される傾向にあるところを補う目的で設けられる。
【００５０】
それゆえ、天井反射板１の本体部１ａにおける機械的強度が充分に保障される場合には、この桁部材１２の配設を省略しても良く、また、この天井反射板１を昇降させる吊り下げ手段への契合の観点からすると、この桁部材１２が設けられている方が好ましいとされることもある。
【００５１】
なお、図示する実施形態では、天井反射板１における本体部１ａが、結果的には、図１中で左右となる一対のワイヤＷ３，Ｗ４およびＷ５で吊持される態勢になるが、これは、特に、起伏部１ｂが図２に示すように起き上がった状態のときに、ワイヤＷ３，Ｗ４だけでこの天井反射板１を吊持する場合には、天井反射板１における重量バランスが狂い、傾くことになる不具合の発生を阻止するためである。
【００５２】
上記の吊り部材１１は、起伏部１ｂの起伏を可能にする起伏手段１３を有し、この起伏手段１３は、図示しないが、たとえば、小型のワイヤ巻き取り式のウインチを有し、このウインチが遠隔操作で駆動されることで、起伏部１ｂの起伏を実現する。
【００５３】
ちなみに、この起伏手段１３については、要は、本体部１ａに対する起伏部１ｂの起伏を可能にするものであれば良く、それゆえ、これが小型のウインチからなることに代えて、図示しないが、たとえば、減速器を備えるモータや電動シリンダからなるとしても良く、特に、電動シリンダからなる場合には、流体圧源を有することなく起伏部１ｂの起伏が可能になる点で有利となる。
【００５４】
そして、上記したワイヤＷ３は、一端が舞台の天井側に連結され、他端が天井側に配設のウインチＭ３に連結され、中間部が吊り部材１１に保持される滑車１１ａ（図１参照）に掛け回される。
【００５５】
また、上記したワイヤＷ４は、一端が天井側に配設のウインチＭ４に連結され、他端が吊り部材１１に、すなわち、図示するところでは、吊り部材１１が有するブラケット１１ｂ（図１参照）に連結される。
【００５６】
さらに、上記したワイヤＷ５は、一端が舞台の天井側に連結され、他端が天井側に配設のウインチＭ５に連結され、中間部が桁部材１２に保持される滑車１２ａ（図１参照）に掛け回される。
【００５７】
なお、上記のウインチＭ３は、舞台の奥側となる上方の天井側に配設され、上記のウインチＭ４は、舞台のほぼ中央となる上方の天井側に配設され、その結果、ワイヤＷ３とワイヤＷ４とはＶ字状を呈する（図１，図２および図３参照）。
【００５８】
そして、上記ウインチＭ５は、舞台の前側となる上方の天井側に配設され、したがって、ワイヤＷ５は、天井反射板１を水平状態に垂下するとき、天井側より真っ直ぐ垂下される態勢になる（図１，図２および図３参照）。
【００５９】
次に、正面反射板２は、上端に有するブラケット２１に滑車２２を保持し、この滑車２２にワイヤＷ１およびワイヤ２の中間部を掛け回し、ワイヤＷ１およびワイヤＷ２の各一端は、それぞれ天井側に連結され、ワイヤＷ１における他端は、天井側に配設のウインチＭ１に、また、ワイヤＷ２における他端は、天井側に配設のウインチＭ２にそれぞれ巻装される。
【００６０】
そして、ウインチＭ１は、天井反射板１用のウインチＭ３と同様に、舞台の奥側となる上方の天井側に配設され、ウインチＭ２は、天井反射板１用のウインチＭ４と同様に、舞台のほぼ中央となる上方の天井側に配設され、その結果、ワイヤＷ１とワイヤＷ２とは、いわゆる舞台の袖側から見ると、Ｖ字状を呈する（図１および図２参照）。
【００６１】
そしてまた、ウインチＭ１とウインチＭ３とが舞台の奥側となる上方の天井側に配設され、ウインチＭ２とウインチＭ４とが舞台のほぼ中央となる上方の天井側に配設され、さらに、ウインチＭ１の方がウインチＭ３より舞台の奥寄りに配置され、また、ウインチＭ２の方がウインチＭ４より舞台の奥側寄りに配置されることで、この音響反射板装置の不使用時における収納時に、天井反射板１に比較して、正面反射板２の方が舞台の奥寄りに垂下される（図３および図４参照）と共に、正面反射板２を舞台の奥の上方に垂下するとき、この正面反射板２に沿うように天井反射板１を垂下させる（図４参照）ことが可能になる。
【００６２】
以上のように配設されるウインチＭ１〜Ｍ５、すなわち、吊り下げ手段は、図示しないが、舞台の間口方向の両側にそれぞれ配設され、それぞれに連結されるワイヤＷ１〜Ｗ５の中間部がそれぞれの言わば下方に配設される滑車２２，１１ａ，１２ａに巻装されると共に天井側に連結される。
【００６３】
このように、ウインチ，ワイヤおよび滑車からなる吊り下げ手段が舞台の間口方向の両側に配設される構成とすることで、その間となるいわゆる舞台の中央部におけるバトン装置の作動を妨げないようにすることが可能になる。
【００６４】
ちなみに、吊り下げ手段が舞台の間口方向の両側に配設されるのに代えて、図示しないが、ウインチが舞台の間口方向のいずれか一方側に配設されて、このウインチに連結されるワイヤが間口方向の両方の滑車に掛け回されるとする選択もなし得るが、この場合には、ワイヤの絶対長さが大きくなり過ぎ、ワイヤにおける伸びの影響を制御し難くなること考慮すると、好ましい選択とは言い得ない。
【００６５】
以上のように形成されたこの発明による音響反射板装置にあっては、以下のようにして、所望の規模の音響空間を舞台に創ることが可能になる。
【００６６】
先ず、図４に示す音響反射板装置の収納状態から、天井側に配設の吊り下げ手段におけるウインチＭ３の駆動でワイヤＷ３を送り出し、天井反射板１を下降させる。
【００６７】
このとき、ワイヤＷ５による吊り長さ、すなわち、天井側からの長さが、図３に示すいわゆる定尺になるように天井側に配設のウインチＭ５で巻き取られ、天井反射板１が垂直状態から水平状態になるように態勢を変更する。
【００６８】
そして、図３に示すように、ワイヤＷ５がいわゆる真っ直ぐになるまで、天井反射板１を下降させるとき、天井反射板１がワイヤＷ３およびワイヤＷ４およびワイヤＷ５で所定の吊持態勢になる。
【００６９】
次に、図３に示す状態から、天井側に配設のウインチＭ１の駆動でワイヤＷ１を送り出し、正面反射板２を縦状態のまま下降させ、好ましくは、正面反射板２の下端が舞台床Ｓに接触しない態勢のときに、天井側に配設のウインチＭ２の駆動でワイヤＷ２を緊張傾向にして、正面反射板２を舞台における客席Ｇ側に水平移動、すなわち、前進させる。
【００７０】
そして、舞台における客席Ｇ側に水平移動した正面反射板２の上端側を既に下降している天井反射板１の言わば後端に隣設させながら正面反射板２を最下降させて下端を舞台床Ｓに接触させていわゆる不動にして、この状態で正面反射板２を立設させることで、音響空間を創れる（図１参照）。
【００７１】
ちなみに、このとき、天井反射板１および正面反射板２に隣設するように側面反射板が配設されて、所望の音響空間が出現するが、この音響空間を、たとえば、オーケストラ向きとなる大規模な音響空間とする。
【００７２】
上記に対して、たとえば、ピアノリサイタルや弦楽四重奏向きのより規模の小さい音響空間を創る場合には、図１に示す態勢から、図２に示すように、天井反射板１において、この下降状態のまま、起伏手段１３の駆動で本体部１ａに対して起伏部１ｂを起立させていわゆる折り畳む。
【００７３】
そして、正面反射板２を図中で右行させるように前進させて起伏部１ｂが起立された天井反射板１における本体部１ａの後端に正面反射板２の上端部を隣設させて言わば中規模の音響空間を創る。
【００７４】
このとき、この発明にあっては、言わば一枚板の天井反射板１において、本体部１ａと起伏部１ｂとを有して、折り畳み可能に形成されるから、図示しないが、たとえば、天井反射板が本体部に相当する部分と、起伏部に相当する部分とを別体形成されて、それぞれを昇降可能にする構成の音響反射板装置に比較して、音響反射板の昇降制御や昇降操作を単一にでき、あるいは、少なくできる点で有利となる。
【００７５】
また、この発明にあっては、天井反射板１が下降されて水平状態に垂下されている態勢のときに、起伏部１ｂの本体部１ａに対する起伏、すなわち、折り畳みを可能にし得るから、起伏部１ｂをいわゆる起すか寝かせるかの選択のみで、大規模な音響空間とより小規模な音響空間との間の変成を迅速に実践し得る利点がある。
【００７６】
一方、以上のようにして使用状態におかれた音響反射板装置を、不使用時たる収納状態にするには、基本的には、上記したところと逆の手順を辿れば良いが、簡単に説明すると、たとえば、図１に示す状態から、先ずは、正面反射板２を天井側に配設のウインチＭ１の駆動で吊り上げ、図３に示すように、正面反射板２を舞台の奥の上方に垂下する。
【００７７】
ちなみに、このとき、ワイヤＷ２については、これを天井側に配設のウインチＭ２の駆動で巻き取るようにしても良いが、正面反射板２を確実に舞台の奥の上方に垂下させることからすれば、ワイヤＷ２をいたずらに緊張させない方が良く、また、再度正面反射板２を利用する場合のことを考慮すると、いわゆる長いままにしておいても良いと言い得る。
【００７８】
次に、天井反射板１を舞台の奥の上方に垂下させるが、この場合には、図３に示す状態から、天井反射板１をワイヤＷ３およびワイヤＷ４で吊り下げた状態のまま、図示しないが、天井側に配設のウインチＷ５の駆動でワイヤＷ５を送り出し、天井反射板１において、先端部を下方に下げ、全体を縦状態にする。
【００７９】
そして、天井反射板１が縦状態になったとき、天井側に配設のウインチＭ３を駆動してワイヤＷ３を巻き取り、図４に示すように、ウインチＭ３の下方に天井反射板１が位置決められるように垂下する。
【００８０】
このとき、天井反射板１を吊り下げるワイヤＷ４については、これが天井側に配設のウインチＭ４の駆動で巻き取られるとしても良いが、天井反射板１を可能な限り舞台の奥の上方に垂下させることからすれば、ワイヤＷ４をいたずらに緊張させない方が良く、また、再度天井反射板１を利用する場合のことを考慮すると、いわゆる長いままにしておいても良いと言い得る。
【００８１】
以上のように、この発明による音響反射板装置にあっては、使用時に水平状態に垂下される天井反射板１が舞台の前側に位置決められる本体部１ａと、舞台の奥側寄りに位置決められる起伏部１ｂとを有してなるから、音響空間の規模を大小させる編成変えに際して、天井反射板１が本体部１ａに起伏部１ｂを連続させた状態のままの言わば全体使用される場合と、天井反射板１が本体部１ａに対して起伏部１ｂを起した状態、すなわち、折り畳んだ状態の言わば部分使用される場合とを選択し得ることになり、たとえば、オーケストラ向きとなる大規模な音響空間の創成を可能にし、また、ピアノリサイタルや弦楽四重奏向きとなるより小さい規模の音響空間の創成を可能にする。
【００８２】
このとき、音響反射板装置における編成変えに際して、天井反射板１において本体部１ａに対する起伏部１ｂの起伏を選択すること、および、正面反射板２において立設位置を前進位置あるいは後退位置のいずれかに選択することの作業のみで足り、たとえば、いわゆる機械力利用で天井反射板１を変態させ、また、正面反射板２の立設位置を選択する作業を言わば簡単に実践し得る。
【００８３】
そして、機械力を利用して天井反射板１および正面反射板２を昇降させて舞台の所定位置に位置決める場合には、特に、正面反射板２を舞台の所定位置に人手によって位置決める作業を不要にし、言わば重量物となる正面反射板２を人手で移動させる際に、作業員の負担を軽減するのはもちろんのこと、作業員数の削減を可能にして、経費の削減を可能にする。
【００８４】
そして、この発明による天井反射板装置にあっては、不使用時たる収納時に、正面反射板２および天井反射板１が舞台の奥の上方に縦状態に垂下されるから、舞台にデッドスペースを出現させずして、舞台の奥側の有効利用を可能にするのはもちろんのこと、たとえば、天井反射板１が舞台の前側の上方に垂下されないから、この舞台の前側の上方への他の舞台装置たる、たとえば、昇降プロセニアムの垂下を妨げない。
【００８５】
前記したところでは、天井反射板１は、本体部１ａと起伏部１ｂとを有してなるが、これに代えて、図示しないが、天井反射板１において、本体部１ａがこの本体部１ａより音響面積を小さくする補助板を有し、この補助板が昇降可能とされる一方で、正面反射板２もこの正面反射板２より音響反射面を小さくする補助板を有し、この補助板が進退可能とされることで、この両方の補助板を利用してのいわゆる小規模の音響空間の創成を可能にしても良い。
【００８６】
そして、前記したところでは、ウインチＭ１〜Ｍ５およびこの各ウインチＭ１〜Ｍ５から送り出されるワイヤＷ１〜Ｗ５の掛け回しを許容する簀の子Ｔに配設の滑車については、これらが天井側および簀の子Ｔに固定状態に配設されてなるとしたが、この発明が意図するところからすると、これに代えて、図示しないが、ウインチＭ１〜Ｍ５が天井側に、また、滑車が簀の子Ｔに移動可能に配設されてなるとしても良い。
【産業上の利用可能性】
【００８７】
多機能ホールなどの舞台に設けられる舞台装置たる吊り下げ式の可動型に設定の音響反射板装置にあって、舞台に大規模な音響空間を創る場合と、それより小さい規模の音響空間を創る場合とを選択可能にするのに向く。
【符号の説明】
【００８８】
１  天井反射板
１ａ  本体部
１ｂ  起伏部
２  正面反射板
１１  吊り部材
１１ａ，１２ａ，２２  滑車
１２  ダンパ
１３  起伏手段
２１  ブラケット
Ｇ  客席
Ｍ１，Ｍ２，Ｍ３，Ｍ４，Ｍ５  ウインチ
Ｓ  舞台床
Ｗ１，Ｗ２，Ｗ３，Ｗ４，Ｗ５  ワイヤ
【図１】
0005728192.tif 000002
【図２】
0005728192.tif 000003
【図３】
0005728192.tif 000004
【図４】
0005728192.tif 000005